(57)【特許請求の範囲】
【請求項１】
導光パネルと表示パネルとが表裏に積層状に配され、導光パネルの端部を照射するべく列状に配した光源付きの基板を備え、該光源からの光を受けた導光パネルが面発光することで表示パネルの表示をするようにした表示装置において、
前記導光パネルと表示パネルとを四周枠で支持すると共に、前記基板を四周枠の少なくとも一つの枠体に内装するにあたり、
基板が内装される枠体とこれに対向する枠体とを、
躯体固定側枠材と、
基板を内装する状態で躯体固定側枠材に表方向から着脱自在に支持されていて、躯体固定側枠材とのあいだで導光パネルを挟持状に支持する導光パネル支持用枠材と、
導光パネル支持用枠材に表方向から着脱自在に支持されていて、導光パネル支持用枠材とのあいだで表示パネルを挟持状に支持する表示パネル支持用枠材とで構成する一方、
残りの一対の枠体を、表示パネル支持用枠材を導光パネル支持用枠材から表方向に外した状態で、基板を内装した導光パネル支持用枠材の内端よりも内側に強制移動せしめた表示パネルを支持する支持材に構成して、表示パネルを取外すことなく基板を内装した導光パネル支持用枠材を表裏方向に取り外すことができるように構成したことを特徴とする表示装置。
【請求項２】
躯体固定側枠材は、躯体に固定される第一枠材と、該第一枠材に表方向着脱自在に支持されていて、第一枠材とのあいだで裏面側表示パネルを挟持状に支持する第二枠材とから構成され、
導光パネル支持用枠材は、第二枠材に表方向着脱自在に支持されていて、第二枠材とのあいだで導光パネルを挟持状に支持する第三枠材で構成され、
表示パネル支持用枠材は、第三枠材に表方向着脱自在に支持されていて、第三枠材とのあいだで表側表示パネルを挟持状に支持する第四枠材と、該第四枠材に対して表方向着脱自在に支持されていて、基板からの配線を収納する配線収納室を形成する第五枠材とで構成されていることを特徴とする請求項１記載の表示装置。
【請求項３】
第一枠材は、サッシ枠の内面に固定されるものであることを特徴とする請求項２記載の表示装置。
【請求項４】
導光パネルと表示パネルとが表裏に積層状に配され、導光パネルの端部を照射するべく列状に配した光源付きの基板を備え、該光源からの光を受けた導光パネルが面発光することで表示パネルの表示をするようにした表示装置のメンテナンス方法において、
前記導光パネルと表示パネルとを四周枠で支持すると共に、基板を四周枠の少なくとも一つの枠体に内装すると共に、
基板が内装される枠体とこれに対向する枠体とを、
躯体固定側枠材と、
基板を内装する状態で躯体固定側枠材に表方向から着脱自在に支持されていて、躯体固定側枠材とのあいだで導光パネルを挟持状に支持する導光パネル支持用枠材と、
導光パネル支持用枠材に表方向から着脱自在に支持されていて、導光パネル支持用枠材とのあいだで表示パネルを挟持状に支持する表示パネル支持用枠材とで構成し、
表示パネル支持用枠材を導光パネル支持用枠材から表方向に外した状態で、基板を内装した導光パネル支持用枠材の内端よりも内側に強制移動せしめた表示パネルを残りの一対の枠体で支持した後、表示パネルを取外すことなく基板を内装した導光パネル支持用枠材を表裏方向に取り外すようにしたことを特徴とする表示装置のメンテナンス方法。
【発明の詳細な説明】
【技術分野】
【０００１】
本発明は、商店や公共施設等の建築物の開口部に組み込まれる表示装置及び表示装置のメンテナンス方法の技術分野に属するものである。
【背景技術】
【０００２】
今日、看板や表示板等の表示装置を、光源を蛍光灯でなくＬＥＤ（発光ダイオード）を用いて表示させるようにしたものが知られている。このようなもののなかには、縦横フレームに表示パネルと導光パネルとを表裏積層状に組み込むと共に、前記縦横フレームの何れかの内部に、導光パネルの端縁を照射するようにＬＥＤを組み込み、そしてＬＥＤの発光を受けた導光パネルの面発光により表示パネルを照射し、表示するように構成し、この表示装置を、商業ビルや駅舎等の建造物の開口部に組み込むことで、省エネルギーを兼ねながら表示のアピール度を高めようとすることが提唱されている。
しかしながら、従来のＬＥＤを組み込んだ表示装置は、フレーム内部に組み込まれたＬＥＤの交換等のメンテナンスをする際に、表示パネルや導光パネルを取り外してＬＥＤを露出させるため、フレーム自体を全分解したりする必要があり、このためメンテナンス作業が煩雑になると共に時間や手間がかかるといった問題がある。
さらに、パネル自体を取り替える際にもパネルだけでなくフレームを全分解する必要があって、同様に時間や手間がかかるといった問題がある。
【０００３】
そこで、ＬＥＤが取付けられた長尺状の基板やパネルをフレーム端部から出し入れ自在に組み込み、そしてメンテナンス時、前記ＬＥＤを組み込んだフレーム端部に組み付けられているフレームを取外すことで基板やパネルを取り出すことができるようにしたもの（例えば、特許文献１、２参照）や、フレームに開閉扉を設けて基板やパネルを取り出すことが出来るようにしたもの（例えば、特許文献３参照）が知られている。
【先行技術文献】
【特許文献】
【０００４】
【特許文献１】特開２００６−２１５４３２号公報
【特許文献２】特開２００９−３０８１号公報
【特許文献３】特表２０１０−５０３８８９号公報
【発明の概要】
【発明が解決しようとする課題】
【０００５】
しかしながら前記特許文献１〜３に記載されるものは、ＬＥＤをメンテナンスするには、フレーム端部から基板を抜き取るものであるから、この抜き取りスペースを確保できない表示装置、例えば建築物の開口部に組み込んだ表示装置や、既存のサッシ枠に組み込んだ表示装置、狭い表示スペースに組み込んだ表示装置のようなものには採用できないという問題がある。
そこでフレームのパネル受け面部を表方向に向けて着脱自在に支持し、該受け面部を表方向に取り外すことでＬＥＤのメンテナンスができるように構成することが提唱される。ところがこのものは、ＬＥＤで面発光する導光パネルの表側（表示面側）に表示パネルが有るので、この表示パネルを外さなければＬＥＤのメンテナンスができず、そのためには表示パネルを支持している四周枠部分を表側に外す必要があって作業性に劣るという問題があり、ここに本発明の解決すべき課題がある。
【課題を解決するための手段】
【０００６】
本発明は、上記の如き実情に鑑みこれらの課題を解決することを目的として創作されたものであって、請求項１の発明は、導光パネルと表示パネルとが表裏に積層状に配され、導光パネルの端部を照射するべく列状に配した光源付きの基板を備え、該光源からの光を受けた導光パネルが面発光することで表示パネルの表示をするようにした表示装置において、前記導光パネルと表示パネルとを四周枠で支持すると共に、前記基板を四周枠の少なくとも一つの枠体に内装するにあたり、基板が内装される枠体とこれに対向する枠体とを、躯体固定側枠材と、基板を内装する状態で躯体固定側枠材に表方向から着脱自在に支持されていて、躯体固定側枠材とのあいだで導光パネルを挟持状に支持する導光パネル支持用枠材と、導光パネル支持用枠材に表方向から着脱自在に支持されていて、導光パネル支持用枠材とのあいだで表示パネルを挟持状に支持する表示パネル支持用枠材とで構成する一方、残りの一対の枠体を、表示パネル支持用枠材を導光パネル支持用枠材から表方向に外した状態で、基板を内装した導光パネル支持用枠材の内端よりも内側に強制移動せしめた表示パネルを支持する支持材に構成して、表示パネルを取外すことなく基板を内装した導光パネル支持用枠材を表裏方向に取り外すことができるように構成したことを特徴とする表示装置である。
請求項２の発明は、躯体固定側枠材は、躯体に固定される第一枠材と、該第一枠材に表方向着脱自在に支持されていて、第一枠材とのあいだで裏面側表示パネルを挟持状に支持する第二枠材とから構成され、導光パネル支持用枠材は、第二枠材に表方向着脱自在に支持されていて、第二枠材とのあいだで導光パネルを挟持状に支持する第三枠材で構成され、表示パネル支持用枠材は、第三枠材に表方向着脱自在に支持されていて、第三枠材とのあいだで表側表示パネルを挟持状に支持する第四枠材と、該第四枠材に対して表方向着脱自在に支持されていて、基板からの配線を収納する配線収納室を形成する第五枠材とで構成されていることを特徴とする請求項１記載の表示装置である。
請求項３の発明は、第一枠材は、サッシ枠の内面に固定されるものであることを特徴とする請求項２記載の表示装置である。
請求項４の発明は、導光パネルと表示パネルとが表裏に積層状に配され、導光パネルの端部を照射するべく列状に配した光源付きの基板を備え、該光源からの光を受けた導光パネルが面発光することで表示パネルの表示をするようにした表示装置のメンテナンス方法において、前記導光パネルと表示パネルとを四周枠で支持すると共に、基板を四周枠の少なくとも一つの枠体に内装すると共に、基板が内装される枠体とこれに対向する枠体とを、躯体固定側枠材と、基板を内装する状態で躯体固定側枠材に表方向から着脱自在に支持されていて、躯体固定側枠材とのあいだで導光パネルを挟持状に支持する導光パネル支持用枠材と、導光パネル支持用枠材に表方向から着脱自在に支持されていて、導光パネル支持用枠材とのあいだで表示パネルを挟持状に支持する表示パネル支持用枠材とで構成し、表示パネル支持用枠材を導光パネル支持用枠材から表方向に外した状態で、基板を内装した導光パネル支持用枠材の内端よりも内側に強制移動せしめた表示パネルを残りの一対の枠体で支持した後、表示パネルを取外すことなく基板を内装した導光パネル支持用枠材を表裏方向に取り外すようにしたことを特徴とする表示装置のメンテナンス方法である。
【発明の効果】
【０００７】
請求項１、２、４の発明とすることにより、表示装置から、表示パネルを取り外すことなく光源付きの基板を容易に取り外すことができ、メンテナンス性が向上する。
請求項３の発明とすることにより、既存のサッシへ表示装置を取り付けることができる。
【図面の簡単な説明】
【０００８】
【図１】表示装置の表側からの全体図である。
【図２】図１における表示装置の縦断面図である。
【図３】図１における表示装置の横断面図である。
【図４】（Ａ）〜（Ｄ）はそれぞれ、表示装置の取り付け手順を示す左下端部の断面斜視図である。
【図５】（Ａ）〜（Ｄ）はそれぞれ、表示装置の取り付け手順を示す左下端部の断面斜視図である。
【図６】（Ａ）〜（Ｄ）はそれぞれ、表示装置の配線部分の取り付け手順を示す左下端部の断面斜視図である。
【図７】（Ａ）、（Ｂ）はそれぞれ、ＬＥＤ付き基板のメンテナンス手順を示す左右の下端部の断面斜視図である。
【図８】（Ａ）、（Ｂ）、（Ｃ）はそれぞれ、ＬＥＤのメンテナンス手順を示す左下端部の断面断面図である。
【図９】（Ａ）、（Ｂ）はそれぞれ、表側表示パネルのメンテナンス手順を示す左下端部の断面斜視図である。
【図１０】（Ａ）、（Ｂ）はそれぞれ、表側表示パネルのメンテナンス手順を示す左右の下端部の断面断面図である。
【図１１】（Ａ）、（Ｂ）はそれぞれ、第二の実施の形態における表示装置の縦断面図、横断面図である。
【発明を実施するための形態】
【０００９】
以下、本発明の第一の実施の形態について、図面に基づいて説明する。図面において、１は建築物の躯体開口部に設けられ、該開口部に組み付けられるサッシであって、該サッシ１は、四周を左右一対のサッシ縦枠２、上下一対のサッシ横枠３で囲繞するようにして構成されている。
そして、前記サッシ１の縦横枠２、３に、四周を左右一対のフレーム縦枠４、上下一対のフレーム横枠５で囲繞形成された表示装置６が組み付けられているが、サッシ縦横枠２、３には、断面視中央部位にガラス嵌め込み溝２ａ、３ａが形成されており、該ガラス嵌め込み溝２ａ、３ａよりも屋内側のサッシ内側片２ｂ、３ｂに表示装置６が設けられる構成となっている。
【００１０】
該表示装置６は、詳細は後述するが、これらフレーム縦横枠４、５に、導光パネル７及び該導光パネル７を挟むよう表裏（屋内外）一対の表示パネル８、９が積層状に保持されており、これによって前記躯体開口部を閉塞している。そしてこのものでは、上下のフレーム横枠５にＬＥＤ１０ａが取り付けられた基板１０が組み込まれており、該ＬＥＤ１０ａを点灯させることで導光パネル７が面発光をし、これによって表裏の表示パネル８、９を照明することができるようにしたものである。本実施の形態において、前記表示パネル８、９はアクリル樹脂によって構成されている。
尚、ＬＥＤ１０ａ付きの基板１０は、横枠ではなく、左右のフレーム縦枠４に組み込むようにすることができ、その場合に、後述するフレーム縦枠、横枠の構成を逆にすることで実施することができる。また照度を考慮した場合、四周のフレーム縦横枠のうち少なくとも一つの枠にＬＥＤ１０ａ付き基板１０を組み込むようにしても実施することができる。さらにＬＥＤ１０ａの発光色を異ならしめ、これら異色のＬＥＤ１０ａの照度を変化させることで種々の混合色の発光ができることになる。
【００１１】
次に、表示装置６の構成について具体的に説明するが、本実施の形態においては、上下のフレーム横枠５に前記ＬＥＤ１０ａ付きの基板１０を組み込むようになっている。
まず、左右のフレーム縦枠４について説明するが、該左右のフレーム縦枠４は互いに対称状になっていること以外は同じ構成であるので、左側フレーム縦枠４について説明する。
前記左側フレーム縦枠４は、前記３枚のパネル７、８、９が組み込まれる第一縦枠材１１と、該第一縦枠材１１に組み付けられる配線用の第二縦枠材１２とを用いて構成されている。
【００１２】
前記第一縦枠材１１は、サッシ縦枠２の内側片（右側片）２ｂに面接触状に当接し、ビス１３を介してサッシ縦枠２に固定される固定片１１ａと、該固定片１１ａの上下端から右方に向けてそれぞれ突出する突出片１１ｂ、１１ｃと、該突出片１１ｂ、１１ｃの右端同士を、下端部が下側突出片１１ｃよりも下方に突出するようにして連結している連結片１１ｄと、該連結片１１ｄを上下方向に三分割するようにして右方に突出していて、裏側（屋外側）表示パネル９、導光パネル７、表側（屋内側）表示パネル８を挟持状に支持する第一〜第四支持片１１ｅ、１１ｆ、１１ｇ、１１ｈとを備えて構成されている。
【００１３】
一方、第二縦枠材１２は、左右の脚片１２ａ、１２ｂと、これら脚片１２ａ、１２ｂの下端同士を連結する股片１２ｃとで形成されていて断面コ字形をしており、前記下側突出片１１ｃと連結片１１ｄの下側突出片１１ｃよりも下側に突出する片部とサッシ縦枠２の内側片２ａとで形成される凹溝に開口端側から嵌入するように形成されているが、そのうちの左側脚片１２ａの上端（開口端）は、右側に段差状に折曲された折曲片１２ｄとなっており、該折曲片１２ｄは、固定片１１ａと下側突出片１１ｃのコーナー部に形成される凹溝１１ｉに嵌入するように構成されている。そして、第二縦枠材１２は、図示しないビスにより第一縦枠材１１に螺着されるようになっている。
なお、後述するように、前記下側突出片１１ｃと第二縦枠材１２とで形成される空間で、ＬＥＤ１０ａの配線（第二配線）１０ｃが収納される縦枠側配線室４ａを構成している。
【００１４】
次に、上下のフレーム横枠５について説明するが、該上下のフレーム横枠５は互いに対称状になっていること以外は同じ構成であるので、下側のフレーム横枠５について説明する。
該下側フレーム横枠５は、第一〜第四横枠材１４、１５、１６、１７と、該第四横枠材１７に組み付けられる配線用の第五横枠材１８とを用いて構成されている。
【００１５】
前記第一横枠材１４は、サッシ横枠３の内側片（上側片）３ｂに面接触状に当接し、ビス１９を介してサッシ横枠３に固定される固定片１４ａと、該固定片１４ａの右端から上方に向けて突出する第一突出片１４ｂと、該第一突出片１４ｂの上端から右方に向けて突出する第二突出片１４ｃと、該第二突出片の右端から上下方向に突出し、下端は前記サッシ縦枠の内側片３ｂまで至り、後述する第二横枠材１５とで裏側表示パネル９を支持し、先端に内側（第二横枠材１５側）に折曲された折曲片１４ｄが形成された支持片１４ｅとを備えて構成されている。
【００１６】
次に、第二横枠材１５は、裏側表示パネル９を前記第一横枠材の支持片１４ｅとで狭持状に支持し、先端に内側（第三横枠材１６側）に折曲された折曲片１５ａが形成された支持片１５ｂと、該支持片１５ｂの下端部から右方に突出する突出片１５ｃとで形成されているが、該突出片１５ｃが前記第一横枠材の第二突出片１４ｃの左右方向中途位置から逆Ｌ字形に突出形成された嵌合片１４ｆに嵌合することで、第二横枠材１５は第一横枠材１４に支持される構成になっている。そして、本実施の形態において、該第一、第二横枠材１４、１５が躯体固定側枠材として、構成されている。
【００１７】
さらに、第三横枠材１６は、略クランク形状をしていて、ビス２０を介して第一横枠材１４（第一突出片１４ｂ）に固定される固定片１６ａ、前記第二横枠材の支持片１５ｂとで導光パネル７を狭持状に支持し、先端に内側（第四横枠材１７側）に折曲された折曲片１６ｂが形成された支持片１６ｃ、該固定片１６ａと該支持片１６ｃを連結する連結片１６ｄで形成されている。尚、第三横枠材１６の前記ビス２０による固定により、第二横枠材１５は第一横枠材１４と第三横枠材１６とのあいだに挟持状に固定されるようになっている。
そして、前記連結片１６ｄの上面には、折曲片１６ｂよりは低い位置において該連結片１６ｄの左右両端から対向間が上側ほど幅狭状態（略ハ字状）で突出する一対の取付け片１６ｅ、１６ｆが形成され、連結片１６ｄ、取付け片１６ｅ、１６ｆによって略凵状に形成されたスペースに、導光パネル７の下端よりも下方に位置する状態でＬＥＤ１０ａ付きの基板１０が組み込まれるように構成されていて、第三横枠材１６が、導光パネル支持用枠材として構成されている。
【００１８】
第四横枠材１７は、略クランク形状をしていて、ビス２１を介して第一横枠材１４（第一突出片１４ｂ）に固定される固定片１７ａ、前記第三横枠材の支持片１６ｃとで表側表示パネル９を狭持状に支持する支持片１７ｂ、該固定片１７ａと該支持片１７ｂを連結する連結片１７ｃで形成されていて、第四横枠材１７が表示パネル支持用枠材として構成されている。そして、固定片１７ａの下端部から右方に突出形成された下側位置決め部１７ｄが第一横枠材の固定片１４ａに、該固定片１７ａの上端部から上方に突出形成された上側位置決め部１７ｅが第三横枠材の連結片１６ｃに、それぞれ突き当てることで、第四横枠材１７が位置決めされるように構成されている。
【００１９】
第五横枠材１８は、上下の脚片１８ａ、１８ｂと、これら脚片１８ａ、１８ｂの下端同士を連結する股片１８ｃとで形成されていて断面コ字形をしており、前記第四横枠材１７の固定片１７ａと連結片１７ｃとサッシ横枠３の上側片３ｂとで形成される凹溝に開口端側から嵌入するように形成されているが、そのうちの下側脚片１８ｂの上端（開口端）は、上側に段差状に折曲された折曲片１８ｄとなっており、該折曲片１８ｄは、第四横枠材の固定片１７ａの下端部に形成される凹溝１７ｆに嵌入するように構成されている。そして第五横枠材１８は、ビス２２により第四横枠材１７に螺着されるようになっている。
【００２０】
さらに、第二縦枠材１２と第五横枠材１８とのコーナー部には略立方体形状をしたコーナー材２３が設けられているが、該コーナー材２３は、第二縦枠材１２方向の面、第五横枠材１８方向の面は開口していて、ＬＥＤ１０ａの後述する第二配線１０ｃをガイドするため略Ｌ字状のガイド壁２３ａ、２３ｂが縦横枠４、５に沿うようにして形成されている。
【００２１】
そして、前記ＬＥＤ１０ａ付きの基板１０から延び、先端に第一コネクタ１０ｄを備える第一配線１０ｂは、第三横枠材の連結片１６ｄの下面側に、該第三横枠材の連結片１６ｄと、第三横枠材の固定片１６ａと、第一横枠材の固定片１４ａと、第四横枠材の固定片１７ａとで形成される空間である横枠側連結室５ａで、先端に第二コネクタ１０ｅを備える第二配線１０ｃに、該第一、第二コネクタ１０ｄ、１０ｅ同士を連結することで電気的に接続される。さらに該第二配線１０ｃは、第四横枠材１７に設けられた挿通孔１７ｇを通って第五横枠材１８側へ至り、第五横枠材１８と第四横枠材の固定片１７ａとで形成される空間である横枠側配線室５ｂを通り、コーナー材２３内を経由して、縦枠側配線室４ａへ至るように構成されている。
【００２２】
次に、表示装置６をサッシ１に組み付ける組み付け手順について図４〜６に基づいて説明する。なお、図４、５は、サッシ縦横枠２、３に該表示装置６のフレーム縦横枠４、５を組み付ける組み付け手順について図示したものであり、パネル７、８、９、ＬＥＤ１０ａ付き基板１０については図示を省略している。また、図６は、配線部分の組み付け手順について図示したものであり、サッシ１、パネル７、８、９、ＬＥＤ１０ａ付き基板１０については図示を省略している。
まず、図４（Ａ）、（Ｂ）に示すように、該第一縦枠材の固定片１１ａを、ビス１３を介してサッシ縦枠の内側片２ｂに固定することで、第一縦枠材１１をサッシ縦枠２に組み付ける。その後、第一横枠材の固定片１４ａを、ビス１９を介してサッシ横枠の内側片３ｂに固定して第一横枠材１４をサッシ横枠３に組み付ける。
そして、裏側表示パネル９の左右端部を第一縦枠材１１の第一、第二支持片１１ｅ、１１ｆ間に、パッキン１１ｊと共に狭持状に支持させることで、該裏側表示パネル９の上下端部を第一横枠材の折曲片１４ｄに突き当てる。
【００２３】
さらに、図４（Ｃ）に示すように、第二横枠材１５の突出片１５ｃを第一横枠材１４の嵌合片１４ｆに嵌合させることで、第二横枠材１５を第一横枠材１４に組み付ける。これにより、裏側表示パネル９の上下端部が、第一横枠材の支持片１４ａと第二横枠材の支持片１５ｂとのあいだに狭持状に支持されるが、このとき、裏側表示パネル９と第二横枠材の支持片１５ｂの間にパッキン１５ｄを挟み込み、安定性及び防水性を高めるように構成されている。
そして、導光パネル７の左右端部を第一縦枠材の第二、第三支持片１１ｆ、１１ｇ間に狭持状に支持させることで、該導光パネル７の上下端部を第二横枠材の折曲片１５ａに突き当てる。
【００２４】
その後、図４（Ｄ）、図６（Ａ）に示すように、ＬＥＤ１０ａ付きの基板１０を組み込んだ第三横枠材１６の固定片１６ａを、ビス２０を介して第一横枠材の第一突出片１４ｂに固定することで、第三横枠材１６を第一横枠材１４に組み付ける。これにより、導光パネル７の上下端部が第二横枠材の支持片１５ｂ、第三横枠材の支持片１６ｃとで狭持状に支持されることになるが、該導光パネル７と第三横枠材の支持片１６ｃ間にできる空隙に、パッキン１６ｇを設けることで、水密性と導光パネル７のガタ付き防止をするように構成されている。
そして、表側表示パネル８の左右端部を第一縦枠材の第三、第四支持片１１ｇ、１１ｈ間に、パッキン１１ｋと共に狭持状に支持させることで、該表側表示パネル８の上下端部を第三横枠材の折曲片１６ｂに突き当てる。
【００２５】
このとき、図６（Ａ）に示すように、ＬＥＤ１０ａの基板１０から延びる第一配線１０ｂは、第三横枠材１６の左右縦枠４側先端から横枠側連結室５ａに至り、該第一配線１０ｂの先端に接続される第一コネクタ１０ｄが、該横枠側連結室５ａに配されている。
さらに、図５（Ａ）に示すように、該第一コネクタ１０ｄには、電源供給側の第二配線１０ｃが接続された第二コネクタ１０ｅが着脱自在に接続される。
【００２６】
そして、図５（Ｂ）、図６（Ｂ）に示すように、第四横枠材の固定片１７ａを、ビス２１を介して第一横枠材の第一突出片１４ｂに固定することで、第四横枠材１７を第一横枠材１４に組み付ける。
このとき、第二配線１０ｃを第四横枠材の挿通孔１７ｇから横枠側配線室５ｂへ至らせ、さらに縦枠側配線室４ａへ至るように配線する。
【００２７】
その後、図５（Ｃ）、図６（Ｃ）に示すように、コーナー材２３を、第二配線１０ｃがガイド壁２３ａ、２３ｂ内を通るようにして第一縦枠材の凹溝１１ｉの下端部位に組み付ける。
【００２８】
そして、図５（Ｄ）、図６（Ｄ）に示すように、第二縦枠材１２を第一縦枠材の凹溝１１ｉに図示しないビスによって羅着させる。これにより、第一、第二縦枠材１１、１２が一体化した状態で左右縦枠４が、サッシ縦枠２に組み付けられる。
一方、第五横枠材１８を第四横枠材１７の凹溝に図示しないビスによって螺着させ、これにより、第一〜第五横枠材１４〜１８が一体化した状態で上下横枠５が、サッシ横枠３に組み付けられる。
以上の手順により、サッシ１に表示装置６が組み付けられることになる。
【００２９】
このようにして導光パネル７、表外表示パネル８、９が組み込まれるが、該組み込まれた状態で導光パネル７の下端は第三横枠材の取付け片１６ｅ、１６ｆの上面に当接状態で支持され、裏側表示パネル９は、第一横枠材の嵌合片１４ｆの上面に当接状態で支持されている。これに対し、表側表示パネル８は、下端が第四横枠材の連結片１７ｃの上面にスペーサ８ａを介する状態で支持されているが、表側表示パネル８の上端と第四横枠材の連結片１７ｃとのあいだにはスペーサはない状態になっている。
【００３０】
さらに、サッシ１に組み付けられた表示装置６について、ＬＥＤ１０ａを交換する等のメンテナンス手順について図７、８に基づいて説明する。なお、図７において、導光パネル７、裏側表示パネル９、ＬＥＤ１０ａ付き基板１０は図示を省略している。
また、本実施の形態において、ＬＥＤ１０ａ付き基板１０は、上下横枠５の両方に備えられているが、構成や手順は同じであるので、下側フレーム横枠５のＬＥＤ１０ａを交換する手順について説明する。
【００３１】
まず、図７（Ａ）、図８（Ａ）に示すように、第五横枠材１８、第四横枠材１７の順で上下の横枠５からそれぞれ取り外すが、このとき、上枠側の第四、五横枠材１７、１８を取り外すことで移動可能スペースＳ１が生じることになる。
さらに、表側表示パネル８の下端に設けられているスペーサ８ａを取り外す。
【００３２】
次に、図７（Ｂ）、図８（Ｂ）に示すように、前記移動可能スペースＳ１に、表側表示パネル８の下端が第三横枠材１６の支持片１６ｃ先端（上端）よりも上側に位置するまで、表側表示パネル８を左右のフレーム縦枠４に狭持させながら上方に強制移動させることで、ＬＥＤ１０ａ付き基板１０が組み込まれている第三横枠材１６を露出させる。この上方に強制移動した表側表示パネル８は、左右のフレーム縦枠４にパッキン１１ｋを介して弾持状に狭持された状態となり、自重により下がってしまうのを抑える設定になっている。
【００３３】
そして、図８（Ｃ）に示すように、第三横枠材１６を第一横枠材１４から取り外すことで、該第三横枠材１６に内装されている基板１０が取り出され、これによりＬＥＤ１０ａの交換等のメンテナンスができる。
つまり、このものは、表側表示パネル８を表示装置６（具体的には左右の縦枠４）から取り外すことなく、該表示装置６に支持させた状態としながら、ＬＥＤ１０ａ付きの基板１０を取り出すことができるように構成されている。
【００３４】
また、前記各パネル７、８、９の左右端縁と第一縦枠材１１ｄとのあいだには、左右のフレーム縦枠４の各支持片１１ｅ、１１ｆ、１１ｇ、１１ｈにより形成される各取付け溝に対する嵌入代よりも大きい移動可能スペースＳ２が形成されており、これを利用して各パネル７、８、９を縦枠４はそのままの状態で交換することができるようになっており、これについて図９、図１０に基づいて次に説明する。なお、図９において、導光パネル７、裏側表示パネル９、ＬＥＤ１０ａ付き基板１０は図示を省略している。
【００３５】
まず、図９（Ａ）、図１０（Ａ）に示すように、表側表示パネル８を交換するには、第五横枠材１８、第四横枠材１７の順にこれら枠材を上下の横枠５から取り外す。そして、図９（Ｂ）、図１０（Ｂ）に示すように、表側表示パネル８を、最大移動可能スペースＳ２分だけ左方に強制移動（右方への強制移動でも良い）させると、表側表示パネル８の右端が第一横枠材の支持片１１ｇ、１１ｈの先端から抜け出ることになり、この状態で、表側表示パネル８の右端を手前（表側）に引っ張って撓ませて表側の支持片１１ｈを越えた状態にすることで、表側表示パネル８を表示装置６から取り出すことができるように構成されている。
【００３６】
また導光パネル７を交換するには、前記表側表示パネル８を取り出した状態でさらに第三横枠材１６を外し、該導光パネル７を同じく最大移動可能スペースＳ２だけ移動させて右端を支持片１１ｆ、１１ｇから抜き出した後、手前（屋内側）に撓ませることで同様にして取り出すことができるようになっている。
さらには裏側表示パネル９についても、表側表示パネル８、導光パネル７を取外すと共に、第二横枠材１５を取り外した後、移動可能スペースＳ２から同様に利用して取り出すことができるようになっている。
【００３７】
叙述の如く構成された第一の実施の形態において、導光パネル７と表示パネル８、９、を表裏に積層状に配したものを縦横枠４、５の四周枠に支持させ、横枠５にＬＥＤ１０ａ付きの基板１０を内装させ、該ＬＥＤ１０ａから発せられた光を導光パネル７を面発光させることで表示パネル８、９を照明して表示するようにした表示装置６について、第四、第五横枠材１７、１８を表示装置から取り外した後、該第四、第五横枠材１７、１８を取り外すことでできた移動可能スペースＳ１に表側表示パネル８を強制移動させることで、ＬＥＤ１０ａ付きの基板１０を内装した第三横枠材１６が露出し、該第三横枠材１６を第一横枠材１４から取り外すことができるため、ＬＥＤ１０ａの交換等のメンテナンスの際に、表側表示パネル８を表示装置６から取り外すという大掛かりな作業を要さず、ＬＥＤ１０ａ付き基板１０だけを表示装置６取り外すことができるものであり、メンテナンス性に優れている。
【００３８】
さらに、表側表示パネル８の交換等のメンテナンスをする際には、第四、第五横枠材１７、１８を取り外し、第一縦枠材１１に設けられる最大移動可能スペースＳ２分だけ強制移動させることで、該表側表示パネル８を表示装置６から取り出すことができるため、フレーム縦枠４を取り外す必要がなくて、作業性がよいものとすることができる。
【００３９】
しかもこのものは、サッシ１の縦横サッシ枠２、３に縦横フレーム枠４、５を組み付けることができるため、既存のサッシ枠に対しても、表示装置６を容易に組み付けることができる。
【００４０】
さらに、表示装置６は、縦横サッシ枠のガラス嵌め込み溝２ａ、３ａよりも屋内側の上側片２ｂ、３ｂに組み付けるため、該ガラス嵌め込み溝２ａ、３ａにガラスを嵌め込んだ状態のサッシ１に表示装置６を組み付けることが可能であり、このような場合であっても、前述の手順でＬＥＤ１０ａ付き基板１０、パネル７、８、９の交換等のメンテナンスをすることが容易にできる。
【００４１】
さらにまた、前記表示装置６は、導光パネル７をあいだに挟む状態で、表側表示パネル８は屋内側に向けて、裏側表示パネル９に屋外側に向けてそれぞれ表示することができるため、一枚の導光パネル７を用いて表裏の表示ができることになって構造の簡略化が図れると共に、表示効果が高く、そしてこれら表示パネル８、９に図柄や文字等で宣伝広告を描くことで宣伝広告効果をより高いものとすることができる。
【００４２】
尚、本発明は前記第一の実施の形態に限定されることはなく、図１１に示す、第二の実施の形態ののように、表示装置６のフレーム縦横枠４、５の表側面とサッシ３１の縦横枠３２、３３の表側面を略面一状のものとすることができ、このように構成することで、サッシ縦横枠３２、３３とフレーム縦横枠４、５とのあいだに段差がない、意匠性がより優れた表示装置６とすることができる。
【００４３】
また、本発明の表示装置６は、前述の第一、第二実施例のように既存のサッシ１（３１）に組み付けるのではなく、建築物の躯体開口部に直接、フレーム縦横枠４、５を組み付けるように構成することもできる。
【産業上の利用可能性】
【００４４】
本発明は、建築物の開口部に、導光パネルと表示パネルを積層状に配し、ＬＥＤ等の光源で導光パネルを発光させることで、表示パネルを照明する表示装置及び表示装置のメンテナンス方法の技術分野に利用できる。
【符号の説明】
【００４５】
１    サッシ
２    サッシ縦枠
３    サッシ横枠
４    フレーム縦枠
５    フレーム横枠
６    表示装置
７    導光パネル
８    表側表示パネル
９    裏側表示パネル
１０    基板
１０ａ  ＬＥＤ
１１    第一縦枠材
１２    第二縦枠材
１４    第一横枠材
１５    第二横枠材
１６    第三横枠材
１７    第四横枠材
１８    第五横枠材
Ｓ１    移動可能スペース
Ｓ２    移動可能スペース
【図１】
0005660974.tif 000002
【図２】
0005660974.tif 000003
【図３】
0005660974.tif 000004
【図４】
0005660974.tif 000005
【図５】
0005660974.tif 000006
【図６】
0005660974.tif 000007
【図７】
0005660974.tif 000008
【図８】
0005660974.tif 000009
【図９】
0005660974.tif 000010
【図１０】
0005660974.tif 000011
【図１１】
0005660974.tif 000012